(57)【要約】【課題】外装容器内でコンパクトに折畳むことができる保冷保温容器を提供する。【解決手段】コンテナ１は外装容器１と、外装容器１内に収納された保冷保温容器１０とを備える。保冷保温容器１０は柔軟シートからなる６つの断熱パネル１１、１２、１３、１４、１５、１６を有する。断熱パネル１１、１３、１５、１６に折畳線１１ａ、１１ｂ、１３ｂ、１５ｂ、１６ａ、１６ｂが設けられている。断熱パネル１１、１３、１５、１６の内面に取手２１、２３、２５、２６が取付けられている。【選択図】図４
2016098006.tif 000002
【特許請求の範囲】
【請求項１】
外装容器と、
前記外装容器内に収納された保冷保温容器とを備え、
前記保冷保温容器は複数の柔軟シートからなる断熱パネルを有し、
所望の断熱パネルに折畳線が形成され、この折畳線を介して前記保冷保温容器が平坦状に折畳み自在となることを特徴とするコンテナ。
【請求項２】
折畳線が形成された断熱パネル内面に、前記折畳線に沿って当該断熱パネルを内方へ折畳む取手を設けたことを特徴とする請求項１記載のコンテナ。
【請求項３】
前記断熱パネルに形成された折畳線は、当該断熱パネルに形成されたぬい目を有することを特徴とする請求項１また２記載のコンテナ。
【請求項４】
前記断熱パネルに形成された折畳線は、当該断熱パネルに形成された線状の薄肉部を有することを特徴とする請求項１または２記載のコンテナ。
【請求項５】
前記保冷保温容器は６つの断熱パネルを含む６面体からなり、
対向する２面の断熱パネルの各々に、向い合う２辺から中央部へ延びる三角形状折畳線が形成され、各三角形状の折畳線頂点を通る第１の直線状折畳線を設けるとともに、
前記第１の直線状折畳線に直交する他の対向する２面の断熱パネルの各々に、前記第１の直線状折畳線に連結された第２の直線状折畳線を設けたことを特徴とする請求項１乃至４のいずれか記載のコンテナ。
【請求項６】
外装容器内に収納される保冷保温容器において、
前記保冷保温容器は複数の柔軟シートからなる断熱パネルを有し、
所望の断熱パネルに折畳線が形成され、この折畳線を介して前記保冷保温容器が平坦状に折畳み自在となることを特徴とする保冷保温容器。
【請求項７】
折畳線が形成された断熱パネル内面に、前記折畳線に沿って当該断熱パネルを内方へ折畳む取手を設けたことを特徴とする請求項６記載の保冷保温容器。
【請求項８】
前記断熱パネルに形成された折畳線は、当該断熱パネルに形成されたぬい目を有することを特徴とする請求項６また７記載の保冷保温容器。
【請求項９】
前記断熱パネルに形成された折畳線は、当該断熱パネルに形成された線状の薄肉部を有することを特徴とする請求項６または７記載の保冷保温容器。
【請求項１０】
前記保冷保温容器は６つの断熱パネルを含む６面体からなり、
対向する２面の断熱パネルの各々に、向い合う２辺から中央部へ延びる三角形状折畳線が形成され、各三角形状の折畳線頂点を通る第１の直線状折畳線を設けるとともに、
前記第１の直線状折畳線に直交する他の対向する２面の断熱パネルの各々に、前記第１の直線状折畳線に連結された第２の直線状折畳線を設けたことを特徴とする請求項６乃至９のいずれか記載の保冷保温容器。
【発明の詳細な説明】
【技術分野】
【０００１】
本発明は、コンテナおよび保冷保温容器に関する。
【背景技術】
【０００２】
コンテナとして用いられる輸送容器を使って温度管理が要求される貨物を輸送する場合、例えば、輸送容器の内壁に断熱材を設置することが考えられるが、温度管理が要求される貨物専用の輸送容器になってしまうので、高価な輸送容器の利用効率が制限される問題が生じる。
【０００３】
そこでコンテナとして、外装容器と、この外装容器内に収納された断熱性をもつ保冷保温容器とを有するものが用いられている。
【０００４】
保冷保温容器は折畳自在となっており、コンテナの使用後に保冷保温容器が外装容器から取出され、外装容器から取出された保冷保温容器は外装容器外方において折畳まれている。
【０００５】
このような場合、保冷保温容器に予め折畳線が形成されていれば、保冷保温容器を外装容器内で折畳み、その後折畳まれた保冷保温容器を外装容器内に保管したり、外装容器外方へ運び出すことができて都合が良い。
【先行技術文献】
【特許文献】
【０００６】
【特許文献１】実開昭６２−３３５９２号
【発明の概要】
【発明が解決しようとする課題】
【０００７】
本発明は、このような点を考慮してなされたものであり、外装容器内で保冷保温容器を容易に折畳むことができるコンテナおよび保冷保温容器を提供することを目的とする。
【課題を解決するための手段】
【０００８】
本発明は、外装容器と、前記外装容器内に収納された保冷保温容器とを備え、前記保冷保温容器は複数の柔軟シートからなる断熱パネルを有し、所望の断熱パネルに折畳線が形成され、この折畳線を介して前記保冷保温容器が平坦状に折畳み自在となることを特徴とするコンテナである。
【０００９】
本発明は、折畳線が形成された断熱パネル内面に、前記折畳線に沿って当該断熱パネルを内方へ折畳む取手を設けたことを特徴とするコンテナである。
【００１０】
本発明は、前記断熱パネルに形成された折畳線は、当該断熱パネルに形成されたぬい目を有することを特徴とするコンテナである。
【００１１】
本発明は、前記断熱パネルに形成された折畳線は、当該断熱パネルに形成された線状の薄肉部を有することを特徴とするコンテナである。
【００１２】
本発明は、前記保冷保温容器は６つの断熱パネルを含む６面体からなり、対向する２面の断熱パネルの各々に、向い合う２辺から中央部へ延びる三角形状折畳線が形成され、各三角形状の折畳線頂点を通る第１の直線状折畳線を設けるとともに、前記第１の直線状折畳線に直交する他の対向する２面の断熱パネルの各々に、前記第１の直線状折畳線に連結された第２の直線状折畳線を設けたことを特徴とするコンテナである。
【００１３】
本発明は、外装容器内に収納される保冷保温容器において、前記保冷保温容器は複数の柔軟シートからなる断熱パネルを有し、所望の断熱パネルに折畳線が形成され、この折畳線を介して前記保冷保温容器が平坦状に折畳み自在となることを特徴とする保冷保温容器である。
【００１４】
本発明は、折畳線が形成された断熱パネル内面に、前記折畳線に沿って当該断熱パネルを内方へ折畳む取手を設けたことを特徴とする保冷保温容器である。
【００１５】
本発明は、前記断熱パネルに形成された折畳線は、当該断熱パネルに形成されたぬい目を有することを特徴とする保冷保温容器である。
【００１６】
本発明は、前記断熱パネルに形成された折畳線は、当該断熱パネルに形成された線状の薄肉部を有することを特徴とする保冷保温容器である。
【００１７】
本発明は、前記保冷保温容器は６つの断熱パネルを含む６面体からなり、対向する２面の断熱パネルの各々に、向い合う２辺から中央部へ延びる三角形状折畳線が形成され、各三角形状の折畳線頂点を通る第１の直線状折畳線を設けるとともに、前記第１の直線状折畳線に直交する他の対向する２面の断熱パネルの各々に、前記第１の直線状折畳線に連結された第２の直線状折畳線を設けたことを特徴とする保冷保温容器である。
【発明の効果】
【００１８】
本発明によれば、外装容器内で保冷保温容器の断熱パネルを折畳線に沿って折畳むことにより、保冷保温容器を平坦状に折畳むことができる。
【図面の簡単な説明】
【００１９】
【図１】図１は、本発明の第１の実施の形態によるコンテナを示す斜視図である。
【図２】図２は、保冷保温容器を示す斜視図である。
【図３】図３は、保冷保温容器の作用を示す斜視図である。
【図４】図４は、保冷保温容器を示す展開図である。
【図５】図５（ａ）（ｂ）は、保冷保温容器を構成する断熱パネルの構造を示す断面図である。
【図６】図６は、本発明の第２の実施の形態による保冷保温容器を示す斜視図である。
【図７】図７は、保冷保温容器を示す展開図である。
【図８】図８（ａ）（ｂ）は、本発明の第３の実施の形態による保冷保温容器を示す図である。
【図９】図９（ａ）（ｂ）は、ぬい目の変形例を示す図である。
【発明を実施するための形態】
【００２０】
＜第１の実施の形態＞
以下、図面を参照して、本発明の実施の形態について説明する。
【００２１】
図１は、本発明の第１の実施の形態によるコンテナを示す斜視図であって便宜的に輸送容器の扉を取外した状態を示す図である。図２は、コンテナの保冷保温容器を示す斜視図、図３はコンテナの保冷保温容器の正面パネルを開いた状態を示す斜視図である。図４はコンテナの保冷保温容器を示す展開図、図５（ａ）（ｂ）は断熱パネルを示す側面図である。
【００２２】
本実施の形態による航空コンテナ１は、図１に示すように直方体状の本体部２Ａと、この本体部２Ａから飛び出すよう追加された追加部２Ｂとを有する輸送容器（以下、外装容器ともいう）２と、この輸送容器２内に収納された、折畳みが可能な直方体の形状の保冷保温容器１０とを備えている。このうち保冷保温容器１０は、例えば輸送容器２の保温性または保冷性を向上させる用途に用いることができる。すなわち、保冷保温容器１０の各辺の長さは輸送容器２の本体部２Ａの内部空間の各辺の長さに対応するように設計されている。折畳まれた状態の保冷保温容器１０は、輸送容器２内で組み立てられた後、その内部に保冷あるいは保温すべき貨物が収納され、輸送容器２とともにコンテナ１として輸送される。また、不使用時には、保冷保温容器１０は、輸送容器２内において折畳まれた後、輸送容器２内で保管される。なお、折畳まれた状態の保冷保温容器１０は、それを収納してる輸送容器２に常に収納される必要はなく、それを収納している輸送容器２とは異なる他の輸送容器２に、その他の輸送容器が収納している状態の保冷保温容器１０と一緒にまとめて収納されてもよい。それによって、各コンテナ１の積載効率を向上させることができ、効率的な輸送が可能になる。
【００２３】
図２乃至図５に示すように、本実施の形態による保冷保温容器１０は、天面パネル１１と、正面パネル１２、左面パネル１３、奥面パネル１４、および右面パネル１５（下記では、これらのパネル１２、１３、１４、１５の共通名称として「側面用パネル」と言う場合がある。）と、底面パネル１６と、を備えている。これら６つの天面パネル１１、正面パネル１２、左面パネル１３、奥面パネル１４、右面パネル１５、底面パネル１６は、いずれも柔軟シートからなる断熱パネルを含む。
【００２４】
次に天面パネル１１，正面パネル１２、左面パネル１３、奥面パネル１４、右面パネル１５、底面パネル１６を構成する断面パネルについて、図５（ａ）（ｂ）により説明する。
【００２５】
図５（ａ）（ｂ）に示すように、各パネル１１、１２、１３、１４、１５、１６は、柔軟性をもった断熱パネルから構成されている。そしてこれら各パネル１１、１２、１３、１４、１５、１６は、いずれも一対のアルミ蒸着プラスチックシート５ａ、５ｂと、これら一対のアルミ蒸着プラスチックシート５ａ、５ｂ内に収納された発泡材６とを有する柔軟性をもった断熱パネルから構成されている。
【００２６】
また各パネル１１、１２、１３、１４、１５、１６の一対のアルミ蒸着プラスチックシート５ａ、５ｂはその周縁部においてヒートシールされて、内部に収納された発泡材６が密閉される。
【００２７】
また、各パネル１１、１２、１３、１４、１５、１６は、アルミ蒸着プラスチックシート５ａ、５ｂの周縁部において、接着部７を介して互いに接着されている。
【００２８】
なお、各パネル１１、１２、１３、１４、１５、１６を構成するアルミ蒸着プラスチックシート５ａ、５ｂとしては、アルミ蒸着のＰＥＴ、アルミ蒸着のＰＥ等を用いることができる。
【００２９】
さらにまた各パネル１１、１２、１３、１４、１５、１６には、線状のぬい目９が設けられ、この線状のぬい目９によって後述する折畳線１１ａ、１１ｂ、１３ｂ、１５ｂ、１６ａ、１６ｂおよび４つ折用の折曲線１１ｃ、１２ｃ、１３ｃ、１４ｃ、１５ｃ、１６ｃが形成されている。
【００３０】
次に保冷保温容器１０について、図２乃至図４により更に説明する。
【００３１】
図２乃至図４に示すように、保冷保温容器１０は６つの断熱パネル１１、１２、１３、１４、１５、１６を含む６面体からなり、対向する２面の断熱パネル、例えば天面パネル１１と底面パネル１６の各々に、向い合う２辺１１ｅ、１１ｆおよび１６ｅ、１６ｆから中央部に向って延びる三角形状折畳線１１ａ、１６ａが形成されている。
【００３２】
ここで天面パネル１１には２つの三角形状折畳線１１ａ、１１ａが形成され、各折畳線１１ａ、１１ａは対応する辺１１ｅ、１１ｆと組合わされて三角形を構成する。
【００３３】
同様に底面パネル１６には、２つの三角形状折畳線１６ａ、１６ａが形成され、各折畳線１６ａ、１６ａは対応する辺１６ｅ、１６ｆと組合わされて三角形を構成する。
【００３４】
また天面パネル１１には、２つの三角形状折畳線１１ａ、１１ａの頂点１１Ｐ、１１Ｐを通る第１の直線状折畳線１１ｂが設けられている。この第１の直線状折畳線１１ｂは、二つの三角形状折畳線１１ａ、１１ａを貫通して延びている。
【００３５】
同様に底面パネル１６には、２つの三角形状折畳線１６ａ、１６ａの頂点１６Ｐ、１６Ｐを通る第１の直線状折畳線１６ｂが設けられている。この第１の直線状折畳線１６ｂは、二つの三角形状折畳線１６ａ、１６ａを貫通して延びている。
【００３６】
ところで天面パネル１１に形成された２つの三角形状折畳線１１ａ、１１ａおよび第１の直線状折畳線１１ｂと、底面パネル１６に形成された２つの三角形状折畳線１６ａ、１６ａおよび第１の直線状折畳線１６ｂは、上方からみて互いに一致した位置に配置されている。
【００３７】
さらにまた天面パネル１１の第１の直線状折畳線１１ｂおよび底面パネル１６の第１の直線状折畳線１６ｂに直交する他の対向する２面の断熱パネル、左面パネル１３および右面パネル１５に、上下方向に延びる第２の直線状折畳線１３ｂおよび第２の直線状折畳線１５ｂが設けられている。これらの第２の直線状折畳線１３ｂおよび第２の直線状折畳線１５ｂは、いずれも天面パネル１１の第１の直線状折畳線１１ｂおよび底面パネル１６の第１の直線状折畳線１６ｂに連結されている。
【００３８】
このような構成からなる保冷保温容器１０は、天面パネル１１に設けられた三角形状折畳線１１ａおよび第１の直線状折畳線１１ｂ、底面パネル１６に設けられた三角形状折畳線１６ａおよび第１の直線状折畳線１６ｂ、左面パネル１３に設けられた第２の直線状折畳線１３ｂおよび右面パネル１５に設けられた第２の直線状折畳線１５ｂを介して折畳むことができる。
【００３９】
この場合、正面パネル１２および奥面パネル１４は折畳まれることなく互いに接近し、このようにして保冷保温容器１０は平坦状に折畳まれる。
【００４０】
さらに平坦状に折畳まれた保冷保温容器１０を４つ折りに折曲げて保冷保温容器１０をコンパクトにすることができる。
【００４１】
このため天面パネル１１、正面パネル１２、左面パネル１３、奥面パネル１４、右面パネル１５、底面パネル１６の各々に４つ折り用折曲線１１ｃ、１２ｃ、１３ｃ、１４ｃ、１５ｃ、１６ｃが設けられている。
【００４２】
また天面パネル１１、左面パネル１３、右面パネル１５および底面パネル１６の各々の内面に、柔軟材からなる取手２１、２３、２５、２６が設けられ、これら取手２１、２３、２５、２６を内方へ引張ることにより、天面パネル１１および底面パネル１６の三角形状折畳線１１ａ、１６ａおよび第１の直線状折畳線１１ｂ、１６ｂと、左面パネル１５および右面パネル１６の第２の直線状折畳線１５ｂ、１６ｂに沿って、これら天面パネル１１、左面パネル１３、右面パネル１５および底面パネル１６を内方へ折畳むことができる。
【００４３】
この場合、取手２１、２３、２５、２６は、各々天面パネル１１の第１の直線状折畳線１１ｂ、左面パネル１３の第２の直線状折畳線１３ｂ、右面パネル１５の第２の直線状折畳線１５ｂおよび底面パネル１６の第１の直線状折畳線１６ｂに沿って、各々のパネル１１、１３、１５、１６の中央部に配置されている。
【００４４】
なお、上述した保冷保温容器１０のうち、正面パネル１２は固定部分１２Ａと、可動部分１２Ｂとに分離され、このうち可動部分１２Ｂは上方へ持上げられて保冷保温容器１０の正面パネル１２を開くことができる。
【００４５】
さらにまた、天面パネル１１には、その４隅に輸送容器２内において保冷保温容器１０を固定するための吸盤１９が設けられている。
【００４６】
次にこのような構成からなる本実施の形態の作用について説明する。
【００４７】
まず折畳まれた状態の保冷保温容器１０が、例えば航空輸送用のアルミ製の輸送容器２の本体部２Ａ内に搬入される。
【００４８】
次に輸送容器２の本体部２Ａ内において保冷保温容器１０が組立てられる。この場合、保冷保温容器１０の天面パネル１１、左面パネル１３、右面パネル１５および底面パネル１６の内面に設けられた取手２１、２３、２５、２６を外側へ向って押し出すことにより保冷保温容器１０を組立てることができる。
【００４９】
輸送容器２の本体部２Ａ内に組立てられた保冷保温容器１０は、天面パネル１１の４隅に設けられた吸盤１９を本体部２Ａ内壁に吸着させることにより、輸送容器２内に固定することができる。
【００５０】
その後保冷保温容器１０の正面パネル１２の可動部１２Ｂが引き上げられて正面パネル１２が開となり、この開いた正面パネル１２を介して保冷保温容器１０内に荷物が収納される。次に正面パネル１２が閉じられる。
【００５１】
その後、荷物が収納された保冷保温容器１０は、輸送容器２とともに輸送される。
【００５２】
次に保冷保温容器１０を使用しない場合、作業者が保冷保温容器１０内に入り、天面パネル１１、左面パネル１３、右面パネル１５および底面パネル１６の各々の内面に設けられた取手２１、２３、２５、２６を内側へ引張る。
【００５３】
このとき、天面パネル１１に設けられた吸盤１９のうち、手前側の吸盤１９を輸送容器２から取外す。
【００５４】
次に天面パネル１１および底面パネル１６が、各々の三角形状折畳線１１ａ、１６ａおよび第１の直線状折畳線１１ｂ、１６ｂを介して内側へ折畳まれる。同時に左面パネル１３および右面パネル１５が各々の第２の直線状折畳線１３ｂ、１５ｂを介して内側へ折畳まれる。
【００５５】
このようにして奥面パネル１４に対して正面パネル１２が平行状態を保ちながら接近し、奥面パネル１４に対して正面パネル１２が重なり合って保冷保温容器１０が平坦状に折畳まれる。この際、保冷保温容器１０内のエアを正面パネル１２の可動部分１２Ｂ下方に形成された隙間１２Ｄから外方へ排気することができる。
【００５６】
次に天面パネル１１の奥側の吸盤１９を輸送容器２から取外す。
【００５７】
その後、保冷保温容器１０を輸送容器２から外方へ引き出すことができる。
【００５８】
このようにして平坦状に折畳まれた保冷保温容器１０は、必要に応じてパネル１１、１２、１３、１４、１５、１６に設けられた４つ折り用折曲線１１ｃ、１２ｃ、１３ｃ、１４ｃ、１５ｃ、１６ｃを介して４つ折りに折曲げられ、保冷保温容器１０を更にコンパクトに折曲げることができる。
【００５９】
以上のように本実施の形態によれば、保冷保温容器１０の天面パネル１１、左面パネル１３、右面パネル１５および底面パネル１６の各々の取手２１、２３、２５、２６を内側へ引張るだけで、天面パネル１１、左面パネル１３、右面パネル１５および底面パネル１６を各々の折畳線１１ａ、１１ｂ、折畳線１３ｂ、折畳線１５ｂおよび折畳線１６ａ、１６ｂを介して内側へ折畳むことができ、このことにより保冷保温容器１０を平坦状にコンパクトに折畳むことができる。さらに平坦状の保冷保温容器１０を４つ折り用折曲線１１ｃ、１２ｃ、１３ｃ、１４ｃ、１５ｃ、１６ｃを介して４つ折りに折曲げることにより、保冷保温容器１０を更にコンパクトに折曲げることができる。
【００６０】
また、天面パネル１１、左面パネル１３、右面パネル１５および底面パネル１６の各々に設けられた取手２１、２３、２５、２６は柔軟材から構成されているため、これらの取手２１、２３、２５、２６が保冷保温容器１０の折畳み作用あるいは折曲げ作用に支障を生じさせることはない。
【００６１】
なお、上記実施の形態において、ぬい目９によって折畳線１１ａ、１１ｂ、１３ｂ、１５ｂ、１６ａ、１６ｂおよび折曲線１１ｃ、１２ｃ、１３ｃ、１４ｃ、１５ｃ、１６ｃを形成した例を示したが、ぬい目９に限らず、繰り返し折畳むことにより線状の薄肉部を形成するとともに、この薄肉部により折畳線１１ａ、１１ｂ、１３ｂ、１５ｂ、１６ａ、１６ｂおよび折曲線１１ｃ、１２ｃ、１３ｃ、１４ｃ、１５ｃ、１６ｃを構成してもよい。＜第２の実施の形態＞
次に図６および図７により本発明の第２の実施の形態について説明する。図６および図７に示す第２の実施の形態は、保冷保温容器１０の折畳線および折曲線の構造が異なるのみであり、他の構成は図１乃至図５（ａ）（ｂ）に示す第１の実施の形態と略同一である。
【００６２】
図６および図７において、図１乃至図５（ａ）（ｂ）に示す第１の実施の形態と同一部分には同一符号を付して詳細な説明は省略する。。
【００６３】
図６および図７に示すように、保冷保温容器１０は６つの断熱パネル１１、１２、１３、１４、１５、１６を含む６面体からなり、対向する２面の断熱パネル、例えば正面パネル１２と奥面パネル１４の各々に、向い合う２辺１２ｅ、１２ｆおよび１４ｅ、１４ｆから中央部に向って延びる三角形状折畳線１２ａ、１４ａが形成されている。
【００６４】
ここで正面パネル１２には２つの三角形状折畳線１２ａ、１２ａが形成され、各折畳線１２ａ、１２ａは対応する辺１２ｅ、１２ｆと組合わされて三角形を構成する。
【００６５】
同様に奥面パネル１４には、２つの三角形状折畳線１４ａ、１４ａが形成され、各折畳線１４ａ、１４ａは対応する辺１４ｅ、１４ｆと組合わされて三角形を構成する。
【００６６】
また正面パネル１２には、２つの三角形状折畳線１２ａ、１２ａの頂点１２Ｐ、１２Ｐを通る第１の直線状折畳線１２ｂが設けられている。この第１の直線状折畳線１２ｂは、二つの三角形状折畳線１２ａ、１２ａを貫通して延びている。
【００６７】
同様に奥面パネル１４には、２つの三角形状折畳線１４ａ、１４ａの頂点１４Ｐ、１４Ｐを通る第１の直線状折畳線１４ｂが設けられている。この第１の直線状折畳線１４ｂは、二つの三角形状折畳線１４ａ、１４ａを貫通して延びている。
【００６８】
ところで正面パネル１２に形成された２つの三角形状折畳線１２ａ、１２ａおよび第１の直線状折畳線１２ｂと、奥面パネル１４に形成された２つの三角形状折畳線１４ａ、１４ａおよび第１の直線状折畳線１４ｂは、正面パネル１２側からみて互いに一致した位置に配置されている。
【００６９】
さらにまた正面パネル１２の第１の直線状折畳線１２ｂおよび奥面パネル１４の第１の直線状折畳線１４ｂに直交する他の対向する２面の断熱パネル、左面パネル１３および右面パネル１５に、横方向に延びる第２の直線状折畳線１３ｂおよび第２の直線状折畳線１５ｂが設けられている。これらの第２の直線状折畳線１３ｂおよび第２の直線状折畳線１５ｂは、いずれも正面パネル１２の第１の直線状折畳線１２ｂおよび奥面パネル１４の第１の直線状折畳線１４ｂに連結されている。
【００７０】
このような構成からなる保冷保温容器１０は、正面パネル１２に設けられた三角形状折畳線１２ａおよび第１の直線状折畳線１２ｂ、奥面パネル１４に設けられた三角形状折畳線１４ａおよび第１の直線状折畳線１４ｂ、左面パネル１３に設けられた第２の直線状折畳線１３ｂおよび右面パネル１５に設けられた第２の直線状折畳線１５ｂを介して折畳むことができる。
【００７１】
この場合、天面パネル１１および底面パネル１６は折畳まれることなく互いに接近し、このようにして保冷保温容器１０は平坦状に折畳まれる。
【００７２】
さらに平坦状に折畳まれた保冷保温容器１０を４つ折りに折曲げて保冷保温容器１０をコンパクトにすることができる。
【００７３】
このため天面パネル１１、正面パネル１２、左面パネル１３、奥面パネル１４、右面パネル１５、底面パネル１６の各々に４つ折り用折曲線１１ｃ、１２ｃ、１３ｃ、１４ｃ、１５ｃ、１６ｃが設けられている。
【００７４】
また正面パネル１２、左面パネル１３、奥面パネル１４および右面パネル１５の各々の内面に、柔軟材からなる取手２２、２３、２４、２５が設けられ、これら取手２２、２３、２４、２５を内方へ引張ることにより、正面パネル１２および奥面パネル１４の三角形状折畳線１２ａ、１４ａおよび第１の直線状折畳線１２ｂ、１４ｂと、左面パネル１３および右面パネル１５の第２の直線状折畳線１３ｂ、１５ｂに沿って、これら正面パネル１２、左面パネル１３、奥面パネル１４および右面パネル１５を内方へ折畳むことができる。
【００７５】
この場合、取手２２、２４は、各々正面パネル１２の第１の直線状折畳線１２ｂおよび奥面パネル１４の第１の直線状折畳線１４ｂに沿って、各々のパネル１２、１４の中央部に配置されている。
【００７６】
また、取手２３、２５は、各々左面パネル１３の第２の直線状折畳線１３ｂおよび右面パネル１５の第２直線状折畳線１５ｂと直交して、各々のパネル１３、１５の中央部に配置されている。
【００７７】
なお、上述した保冷保温容器１０のうち、正面パネル１２は固定部分１２Ａと、可動部分１２Ｂとに分離され、このうち可動部分１２Ｂは上方へ持上げられて保冷保温容器１０の正面パネル１２を開くことができる。
【００７８】
さらにまた、天面パネル１１には、その４隅に輸送容器２内に保冷保温容器１０を固定するための吸盤１９が設けられている。
【００７９】
次にこのような構成からなる本実施の形態の作用について説明する。
【００８０】
まず折畳まれた状態の保冷保温容器１０が、例えば航空輸送用のアルミ製の輸送容器２の本体部２Ａ内に搬入される。
【００８１】
次に輸送容器２の本体部２Ａ内において保冷保温容器１０が組立てられる。この場合、保冷保温容器１０の正面パネル１２、左面パネル１３、奥面パネル１４および右面パネル１５の内面に設けられた取手２２、２３、２４、２５を外側へ向って押し出すことにより保冷保温容器１０を組立てることができる。
【００８２】
輸送容器２の本体部２Ａ内に組立てられた保冷保温容器１０は、天面パネル１１の４隅に設けられた吸盤１９を本体部２Ａ内壁に吸着させることにより、輸送容器２内に固定することができる。
【００８３】
その後保冷保温容器１０の正面パネル１２の可動部１２Ｂが引き上げられて正面パネル１２が開となり、この開いた正面パネル１２を介して保冷保温容器１０内に荷物が収納される。次に正面パネル１２が閉じられる。
【００８４】
その後、荷物が収納された保冷保温容器１０は、輸送容器２とともに輸送される。
【００８５】
次に保冷保温容器１０を使用しない場合、作業者が保冷保温容器１０内に入り、正面パネル１２、左面パネル１３、奥面パネル１４および右面パネル１５の各々の内面に設けられた取手２２、２３、２４、２５を内側へ引張る。
【００８６】
このとき、天面パネル１１に設けられた吸盤１９を輸送容器２から取外す。
【００８７】
次に正面パネル１２および奥面パネル１４が、各々の三角形状折畳線１２ａ、１４ａおよび第１の直線状折畳線１２ｂ、１４ｂを介して内側へ折畳まれる。同時に左面パネル１３および右面パネル１５が各々の第２の直線状折畳線１３ｂ、１５ｂを介して内側へ折畳まれる。
【００８８】
このようにして底面パネル１６に対して天面パネル１１が平行状態を保ちながら接近し、底面パネル１６に対して天面パネル１１が重なり合って保冷保温容器１０が平坦状に折畳まれる。この際、保冷保温容器１０内のエアを正面パネル１２の可動部分１２Ｂ下方に形成された隙間１２Ｄから外方へ排気することができる。
【００８９】
その後、保冷保温容器１０を輸送容器２から外方へ引き出すことができる。
【００９０】
このようにして平坦状に折畳まれた保冷保温容器１０は、必要に応じてパネル１１、１２、１３、１４、１５、１６に設けられた４つ折り用折曲線１１ｃ、１２ｃ、１３ｃ、１４ｃ、１５ｃ、１６ｃを介して４つ折りに折曲げられ、保冷保温容器１０を更にコンパクトに折曲げることができる。
【００９１】
以上のように本実施の形態によれば、保冷保温容器１０の正面パネル１２、左面パネル１３、奥面パネル１４および右面パネル１５の各々の取手２２、２３、２４、２５を内側へ引張るだけで、正面パネル１２、左面パネル１３、奥面パネル１４および右面パネル１５を各々の折畳線１２ａ、１２ｂ、折畳線１３ｂ、折畳線１４ａ、１４ｂおよび折畳線１５ｂを介して内側へ折畳むことができ、このことにより保冷保温容器１０を平坦状にコンパクトに折畳むことができる。さらに平坦状の保冷保温容器１０を４つ折り用折曲線１１ｃ、１２ｃ、１３ｃ、１４ｃ、１５ｃ、１６ｃを介して４つ折りに折曲げることにより、保冷保温容器１０を更にコンパクトに折曲げることができる。
【００９２】
また、正面パネル１２、左面パネル１３、奥面パネル１４および右面パネル１５の各々に設けられた取手２２、２３、２４、２５は柔軟材から構成されているため、これらの取手２２、２３、２４、２５が保冷保温容器１０の折畳み作用あるいは折曲げ作用に支障を生じさせることはない。
【００９３】
＜第３の実施の形態＞
次に図８（ａ）（ｂ）により本発明の第３の実施の形態について説明する。
【００９４】
図８（ａ）（ｂ）に示す第３の実施の形態は保冷保温容器の構造が異なるのみであり、他の構成は図１乃至図５（ａ）（ｂ）に示す第１の実施の形態と略同一である。
【００９５】
図８（ａ）（ｂ）に示すように、保冷保温容器３０は立方体状容器部分３０Ａと、この立方体状容器部分３０Ａに連結された直方体状容器部分３０Ｂとを有し、全体として６面を有する直方体状をなしている。
【００９６】
また保冷保温容器３０の６面は各々柔軟な断熱パネルからなり、このうち立方体状容器部分３０Ａは直方体状容器部分３０Ｂに対して９０°回転させることができ、立方体状容器部分３０Ａを回転させながら直方体状容器部分３０Ｂ側へ接近させることにより、立方体状容器部分３０Ａの点Ａ１が点Ａ２に達し、点Ｂ１が点Ｂ２に達し、点Ｃ１が点Ｃ２に達し、点Ｄ１が点Ｄ２に達する。このようにして立方体状容器部分３０Ａをねじりながらコンパクトに畳むことができる。
【００９７】
他方、直方体状容器部分３０Ｂは天面パネル３１と、正面パネル３２と、左面パネル３３と、奥面パネル３４と、底面パネル３６とを有する。
【００９８】
そして正面パネル３２の上方および下方には一対の三角形状折畳線３２ａ、３２ａと、各三角形状折畳線３２ａ、３２ａの頂点を結んで第１の直線状折畳線３２ｂが設けられている。
【００９９】
また天面パネル３１には、第１の直線状折畳線３２ｂに連結する第２の直線状折畳線３１ｂが設けられている。
【０１００】
同様に奥面パネル３４の上方および下方には一対の三角形状折畳線と、各三角形状折畳線の頂点を結んで第１の直線状折畳線が設けられている。
【０１０１】
さらに底面パネル３６には、第１の直線状折畳線３２ｂに連結する第２の直線状折畳線が設けられている。
【０１０２】
図８（ａ）（ｂ）において、保冷保温容器３０の立方体状容器部分３０Ａを９０°回転させることにより、立方体状容器部分３０Ａをねじりながらコンパクトに畳むことができる。その後直方体状容器部分３０Ｂを、三角形状折畳線３２ａ、第１の直線状折畳線３２ｂおよび第２の直線状折畳線３１ｂを介して内側に折畳む。このことにより直方体状容器部分３０Ｂもコンパクトに折畳むことができる。
【０１０３】
＜他の実施の形態＞
次に図９（ａ）（ｂ）により、他の実施の形態について説明する。
上記実施の形態において、パネル１１，１２，１３，１４，１５，１６に対して直交するぬい目９によって、折畳線１１ａ、１１ｂ、１３ｂ、１５ｂ、１６ａ、１６ｂおよび折曲線１１ｃ、１２ｃ、１３ｃ、１４ｃ、１５ｃ、１６ｃを形成した例を示したが(図５（ａ）（ｂ）、このぬい目９は必ずしもパネル１１，１２，１３，１４，１５，１６に対して直交していなくてもよい。図９（ａ）（ｂ）に示すように、パネル１１，１２，１３，１４，１５，１６の一部を下方から押圧し、これを摘まんで、Ｕ字部９Ａを形成する。そしてこのＵ字部９Ａに、パネル１１，１２，１３，１４，１５，１６と平行に延びるぬい目９を設けて、折畳線１１ａ、１１ｂ、１３ｂ、１５ｂ、１６ａ、１６ｂおよび折曲線１１ｃ、１２ｃ、１３ｃ、１４ｃ、１５ｃ、１６ｃを形成してもよい。
【符号の説明】
【０１０４】
１  コンテナ
２  輸送容器
２Ａ  直方体状の本体部
２Ｂ  追加部
９  ぬい目
９Ａ  Ｕ字部
１０  保冷保温容器
１１  天面パネル
１１ａ  三角形状折畳線
１１ｂ  第１の直線状折畳線
１２  正面パネル
１２ａ  三角形状折畳線
１２ｂ  第１の直線状折畳線
１３  左面パネル
１３ｂ  第２の直線状折畳線
１４  奥面パネル
１４ａ  三角形状折畳線
１４ｂ  第１の直線状折畳線
１５  右面パネル
１５ｂ  第２の直線状折畳線
１６  底面パネル
１６ａ  三角形状折畳線
１６ｂ  第１の直線状折畳線
２１、２２、２３、２４、２５、２６  取手
３０  保冷保温容器
３０Ａ  立方体状容器部分
３０Ｂ  直方体状容器部分
【図１】
2016098006.tif 000003
【図２】
2016098006.tif 000004
【図３】
2016098006.tif 000005
【図４】
2016098006.tif 000006
【図５】
2016098006.tif 000007
【図６】
2016098006.tif 000008
【図７】
2016098006.tif 000009
【図８】
2016098006.tif 000010
【図９】
2016098006.tif 000011